(57)【特許請求の範囲】
【請求項１】
画像入力装置に一側が接続される装置本体と、
この装置本体内に、前記画像入力装置に向けて延在配置される搬送ガイドと、
この搬送ガイドの搬送面側に配置され、光透過性原稿が装着される原稿マウントを収納するマウント収納部と、
このマウント収納部に隣接して配置され、前記画像入力装置側まで送出された前記原稿マウントを回収するマウント回収部と、
前記マウント収納部と前記搬送ガイドの前記搬送面との間に配置され、前記原稿マウントを前記搬送面に沿って前記画像入力装置側に送出する押出部材と、
この押出部材の前記マウント収納部側に着脱自在に配置される補助板部材と、
を有することを特徴とする原稿搬送装置。
【請求項２】
請求項１記載の原稿搬送装置において、
前記押出部材の前記マウント収納部側に、嵌合穴を形成するとともに、この嵌合穴に嵌合される嵌合突起を前記補助板部材に形成してなることを特徴とする原稿搬送装置。
【請求項３】
請求項２記載の原稿搬送装置において、
前記嵌合穴を横断面半円形状に形成してなることを特徴とする原稿搬送装置。
【発明の詳細な説明】
【０００１】
【発明の属する技術分野】
本発明は、スライドフィルム等の透過原稿を装着した原稿マウントを自動的に画像読取装置等に搬送，回収する原稿搬送装置に関する。
【０００２】
【従来の技術】
従来、スライドフィルム等の透過原稿を装着した原稿マウントを自動的に画像読取装置等に搬送，回収する原稿搬送装置として、例えば、特開平８−１８８５３号公報，特開平８−１８７３０号公報，特開平８−１２０８７号公報，および特開平８−１８７３１号公報等に開示されるものが知られている。
【０００３】
図１８および図１９は、この種の原稿搬送装置を示すもので、装置本体１の画像読取装置３側には、この画像読取装置３の開口部３ａに挿入される挿入部１ａが形成されている。
この挿入部１ａの側面には、読取開口窓１ｂが形成されている。
また、装置本体１内には、画像読取装置３に向けて延在する搬送ガイド５が配置されている。
搬送ガイド５には、この搬送ガイド５の長手方向に向けてスリット部５ａが形成されている。
【０００４】
装置本体１の画像読取装置３と反対側には、搬送ガイド５の搬送面５ｂに対向して、原稿マウント７を収納するマガジン部９が配置されている。
このマガジン部９には、マウント収納部１１とマウント回収部１３とが隣接して配置されている。
マウント収納部１１およびマウント回収部１３には、原稿マウント７を搬送ガイド５側に押圧するマウント押さえ板１５，１５が配置されている。
【０００５】
搬送ガイド５のスリット部５ａには、マウント収納部１１に収納される原稿マウント７を、画像読取装置３側に送出する押出板１７が配置されている。
この押出板１７は、図２０および図２１に示すように、搬送ガイド５に沿って摺動自在に係止されており、押出板１７の移動により、種々のマウント厚Ｗｍを有する原稿マウント７が、１枚ずつ搬送ガイド５の搬送面５ｂに沿って送出される。
【０００６】
このため、押出板１７は、押出板１７の板厚Ｗを、マウント厚Ｗｍが最小の原稿マウント７より小さくして形成されている。
また、図１８および図１９に示したように、マウント回収部１３の搬送ガイド５側には、弾性を有するマウント誘導板１９が、搬送面５ｂに沿って配置されている。
【０００７】
マウント誘導板１９の画像読取装置３側には、搬送ガイド５側に折曲される折曲誘導部１９ａが形成されている。
この折曲誘導部１９ａの画像読取装置３側には、挿入部１ａに送出された原稿マウント７を、マウント回収部１３に回収するための回収ローラ２１が配置されている。
【０００８】
また、図２２に示すように、装置本体１内には、駆動モータ２３が配置されている。
この駆動モータ２３には、押出板１７を移動するためのギヤ制御部２５および駆動ベルト２６が接続され、さらに、回収ローラ２１を回転するためのギヤ制御部２７が接続されている。
【０００９】
上述した原稿搬送装置では、図２３に示すように、駆動ベルト２６の移動により、押出板１７が送出開始位置５ｂから画像読取装置３側に移動され、マウント収納部１１に収納される原稿マウント７が、画像読取装置３側に送出される。
次に、図２４示すように、原稿マウント７は、マウント誘導板１９の折曲誘導部１９ａにより、搬送ガイド５側に押圧状態で摺接されながら、搬送面５ｂを移動される。
【００１０】
そして、図２５に示すように、原稿マウント７は、挿入部１ａの読取開口窓１ｂの位置まで送出される。
この位置で、原稿マウント７に装着されている透過原稿７ａが、画像読取装置３により読み取られる。
読み取り完了後、図２６に示すように、駆動ベルト２６が逆回転し、押出板１７が、送出開始位置５ｂまで戻される。
【００１１】
また、原稿マウント７は、画像読取装置３のマウント排出機構により、回収ローラ２１の位置まで排出される。
そして、図２７に示すように、回収ローラ２１の回転により、原稿マウント７が、マウント回収部１３に回収される。
【００１２】
【発明が解決しようとする課題】
しかしながら、このような従来の原稿搬送装置では、押出板１７の板厚Ｗを、マウント厚Ｗｍが最小の原稿マウント７より、小さく形成しているため、例えば、図２８に示すように、マウント厚Ｗｍが大きく，端面が面取りＲされている原稿マウント７を、この押出板１７により送出しようとすると、押出板１７と原稿マウント７との板厚方向の接触長さである「かかり量Ｋ」が小さくなり、図２９に示すように、押出板１７が搬送ガイド５と原稿マウント７との間を摺動してしまい、原稿マウント７を正常に送出できないという問題があった。
【００１３】
本発明は、かかる従来の問題点を解決するためになされたもので、原稿マウントを簡易かつ確実に送出することができる原稿搬送装置を提供することを目的とする。
【００１４】
【課題を解決するための手段】
請求項１の原稿搬送装置は、画像入力装置に一側が接続される装置本体と、この装置本体内に、前記画像入力装置に向けて延在配置される搬送ガイドと、この搬送ガイドの搬送面側に配置され、光透過性原稿が装着される原稿マウントを収納するマウント収納部と、このマウント収納部に隣接して配置され、前記画像入力装置側まで送出された前記原稿マウントを回収するマウント回収部と、前記マウント収納部と前記搬送ガイドの前記搬送面との間に配置され、前記原稿マウントを前記搬送面に沿って前記画像入力装置側に送出する押出部材と、この押出部材の前記マウント収納部側に着脱自在に配置される補助板部材とを有することを特徴とする。
【００１５】
請求項２の原稿搬送装置は、請求項１記載の原稿搬送装置において、前記押出部材の前記マウント収納部側に、嵌合穴を形成するとともに、この嵌合穴に嵌合される嵌合突起を前記補助板部材に形成してなることを特徴とする。
【００１６】
請求項３の原稿搬送装置は、請求項２記載の原稿搬送装置において、前記嵌合穴を横断面半円形状に形成してなることを特徴とする。
【００１７】
（作用）
請求項１の原稿搬送装置では、装置本体内の搬送ガイドの搬送面に押出部材が配置され、この押出部材に、補助板部材が着脱自在に配置される。
【００１８】
また、原稿マウントのマウント厚に応じて、補助板部材が取り付け，あるいは取り外される。
そして、押出部材のみ，あるいは補助板部材が取り付けれた押出部材により、原稿マウントが、画像入力装置側に送出される。
請求項２の原稿搬送装置では、押出部材に形成される嵌合穴に、補助板部材に形成した嵌合突起が嵌合され、補助板部材の押出部材への着脱が、容易に行われる。
【００１９】
請求項３の原稿搬送装置では、押出部材の嵌合穴が横断面半円形状に形成され、補助板部材が、常に、押出部材に対して所定の向きに取り付けられる。
【００２０】
【発明の実施の形態】
以下、本発明の実施形態を図面を用いて詳細に説明する。
【００２１】
図１および図２は、本発明の原稿搬送装置の一実施形態（請求項１ないし請求項３に対応する）を示しており、装置本体３１の画像読取装置３３側には、この画像読取装置３３の開口部３３ａに挿入される挿入部３１ａが形成されている。
この挿入部３１ａの側面には、読取開口窓３１ｂが形成されている。
また、装置本体３１内には、画像読取装置３３に向けて延在する搬送ガイド３５が配置されている。
【００２２】
搬送ガイド３５には、図３に示すように、この搬送ガイド３５の長手方向に向けてスリット部３５ａが形成され、このスリット部３５ａの画像読取装置３３側には、補助スリット部３５ｂが形成されている。
また、図１および図２に示すように、装置本体３１には、搬送ガイド３５の搬送面３５ｃに対向して、原稿マウント３７を収納するマガジン部３９が配置されている。
【００２３】
このマガジン部３９には、マウント収納部４１とマウント回収部４３とが隣接して配置されている。
マウント収納部４１およびマウント回収部４３には、原稿マウント３７を装置本体３１側に押圧するマウント押さえ板４５，４５が配置されている。
マウント回収部４３の搬送ガイド３５側には、例えば、ＳＵＳ６３１鋼等からなり、弾性を有するマウント誘導板４７が、搬送面３５ｃに沿って配置されている。
【００２４】
このマウント誘導板４７の画像読取装置３３側には、搬送ガイド３５側に折曲する折曲誘導部４７ａが形成されている。
搬送ガイド３５のスリット部３５ａには、押出部材４９が配置され、搬送ガイド３５の搬送面３５ｃの反対面には、補助搬送板５１が配置されている。
押出部材４９は、図４ないし図６に示すように、断面Ｆ字形状をしており、この押出部材４９には、搬送面３５ｃに摺接する押出板４９ａが形成されている。
【００２５】
この押出板４９ａには、横断面半円形状の嵌合穴４９ｂが形成されている。
押出板４９ａの搬送面３５ｃ側には、搬送ガイド３５のスリット部３５ａに摺接自在に係止される係止凹部４９ｃが形成されている。
係止凹部４９ｃの押出板４９ａと反対側には、突出部４９ｄが形成されている。
この突出部４９ｄには、ベルト係止スリット４９ｅが形成されている。
【００２６】
押出部材４９の押出板４９ａの表面には、補助板５２が、着脱自在に配置されている。
この補助板５２には、押出板４９ａの嵌合穴４９ｂに対応する嵌合突起５２ａが形成されている。
また、補助搬送板５１には、図７に示すように、押出部材４９の突出部４９ｄが摺接される摺接開口部５１ａと、原稿マウント３７を読み取るための読取開口部５１ｂとが形成されている。
【００２７】
補助搬送板５１の画像読取装置３３側の先端には、原稿マウント３７の一端を当接する当接部５１ｃが形成されている。
この当接部５１ｃと読取開口部５１ｂとの間には、補助搬送板５１を搬送ガイド３５の補助スリット部３５ｂに係止される係止凹部５１ｄが形成されている。そして、図８に示すように、押出部材４９の係止凹部４９ｃが、搬送ガイド３５のスリット部３５ａに摺動自在に係止され、補助搬送板５１の係止凹部５１ｄが、搬送ガイド３５の補助スリット部３５ｂに摺動自在に係止されている。
【００２８】
押出部材４９の突出部４９ｄは、補助搬送板５１の摺接開口部５１ａ内に位置されている。
搬送ガイド３５，押出部材４９，補助搬送板５１，および補助板５２は、例えば、ポリアセタール樹脂等により形成されている。
また、装置本体３１内には、図９に示すように、駆動モータ５３が配置されている。
【００２９】
この駆動モータ５３には、押出部材４９を移動させるための、ギヤ制御部５５が接続されている。
このギヤ制御部５５には、駆動ベルト５７が接続され、この駆動ベルト５７が、押出部材４９のベルト係止スリット４９ｅに係止されている。
上述した原稿搬送装置では、以下示すようにして、原稿マウント３７が、マウント収納部４１から画像読取装置３３側に送出され、さらに、マウント回収部４３に回収される。
【００３０】
すなわち、先ず、原稿マウント３７のマウント厚Ｗｍが小さい場合には、図１０に示すように、補助板５２を取り外した押出部材４９が使用される。
駆動ベルト５７が回転されると、この回転により、押出部材４９が、送出開始位置３５ｄから画像読取装置３３側に移動し、マウント収納部４１に収納される原稿マウント３７が、押出部材４９の押出板４９ａにより、画像読取装置３３側に送出される。
【００３１】
次に、図１１に示すように、原稿マウント３７は、マウント誘導板４７の折曲誘導部４７ａにより、搬送ガイド３５側に押圧状態で摺接されながら、搬送面３５ｃを移動される。
また、原稿マウント３７の先端が、補助搬送板５１の当接部５１ｃに当接され、補助搬送板５１が、押出部材４９および原稿マウント３７とともに、画像読取装置３３側に移動される。
【００３２】
そして、図１２に示すように、原稿マウント３７が、装置本体３１の読取開口窓３１ｂまで移動され、原稿マウント３７に装着されている透過原稿３７ａが、画像読取装置３３により、読み取られる。
読み取り後、図１３に示すように、駆動ベルト５７が逆回転され、押出部材４９が、送出開始位置３５ｄ側に移動される。
【００３３】
また、押出部材４９の突出部４９ｄが、補助搬送板５１の摺接開口部５１ａの内壁に当接される。
そして、図１４に示すように、押出部材４９の移動とともに、補助搬送板５１および原稿マウント３７が移動される。
また、原稿マウント３７は、マウント誘導板４７の折曲誘導部４７ａにより、マウント回収部４３側に誘導される。
【００３４】
さらに、図１５に示すように、押出部材４９が、送出開始位置３５ｄまで移動され、原稿マウント３７がマウント回収部４３に回収される。
一方、原稿マウント３７のマウント厚Ｗｍが厚く，原稿マウント３７の端面が面取りＲされている場合には、図１６および図１７に示すように、押出部材４９に、補助板５２が取り付けられる。
【００３５】
補助板５２が取り付けられた押出部材４９では、押出板４９ａのかかり量Ｋは、補助板５２の板厚分だけ大きくされる。
そして、駆動ベルト５７の回転により、押出部材４９が、送出開始位置３５ｄから画像読取装置３３側に移動し、図９ないし図１５に示したように、押出部材４９により、原稿マウント３７が読取開口窓３１ｂまで移動され、画像読取装置３３により、透過原稿３７ａが読み取られた後、原稿マウント３７が、押出部材４９および補助搬送板５１により、マウント回収部４３に回収される。
【００３６】
以上のように構成された原稿搬送装置では、押出部材４９に、補助板５２を着脱自在に配置したので、原稿マウント３７のマウント厚Ｗｍおよび面取りＲを考慮して、補助板５２を押出部材４９に取り付け，あるいは取り外すことにより、常に、押出部材４９の押出板４９ａと原稿マウント３７とのかかり量Ｋを所定値以上にすることができ、原稿マウント３７を簡易かつ確実に送出することができる。
【００３７】
なお、上述した実施形態では、押出部材４９の嵌合穴４９ｂを、横断面半円形状に形成した例について述べたが、本発明はかかる実施形態に限定されるものでなく、例えば、横断面矩形形状，あるいは横断面三角形形状に形成しても良く、これ等以外にも、補助板５２を押出部材４９に対して所定の向きに取り付けられる形状であれば良い。
【００３８】
【発明の効果】
請求項１の原稿搬送装置では、押出部材に、補助板部材を着脱自在に配置したので、原稿マウントの板厚および面取りを考慮して、補助板部材を押出部材に取り付け，あるいは取り外すことにより、常に、押出部材と原稿マウントとのかかり量を所定値以上にすることができ、原稿マウントを簡易かつ確実に送出することができる。
【００３９】
請求項２の原稿搬送装置では、押出部材に形成した嵌合穴に、補助板部材に形成した嵌合突起を嵌合する構造としたので、補助板部材の押出部材への着脱を、容易に行うことができる。
請求項３の原稿搬送装置では、押出部材の嵌合穴を横断面半円形状に形成したので、補助板部材を、常に、押出部材に対して所定の向きに取り付けることができる。
【図面の簡単な説明】
【図１】本発明の原稿搬送装置の一実施形態を示す斜視図である。
【図２】図１の分解斜視図である。
【図３】搬送ガイドを示す斜視図である。
【図４】押出部材および補助板を示す斜視図である。
【図５】押出部材に補助板を取り付けた状態を示す断面図である。
【図６】押出部材に補助板を取り付けた状態を示す断面図である。
【図７】補助搬送板を示す斜視図である。
【図８】搬送ガイド，押出部材，および補助搬送板の係止状態を示す斜視図である。
【図９】装置本体内の制御機構を示す断面図である。
【図１０】原稿マウントを、マウント収納部から送出する開始状態を示す断面図である。
【図１１】原稿マウントを、搬送ガイドに沿って送出している状態を示す断面図である。
【図１２】原稿マウントを、読取開口窓まで送出した状態を示す断面図である。
【図１３】原稿マウントを、読取開口窓からマウント回収部側へ搬送する開始状態を示す断面図である。
【図１４】原稿マウントを、マウント回収部に回収している開始状態を示す断面図である。
【図１５】原稿マウントを、マウント回収部に回収した状態を示す断面図である。
【図１６】補助板を取り付けた押出部材により、板厚が大きく，面取りされた原稿マウントを送出する状態を示す断面図である。
【図１７】図１６の要部の詳細を示す断面図である。
【図１８】従来の原稿搬送装置を示す斜視図である。
【図１９】図１８の分解斜視図である。
【図２０】板厚の小さい原稿マウントを送出する状態を示す断面図である。
【図２１】板厚の大きい原稿マウントを送出する状態を示す断面図である。
【図２２】従来の原稿搬送装置の制御機構を示す断面図である。
【図２３】従来の原稿搬送装置において、原稿マウントを送出する開始状態を示す断面図である。
【図２４】従来の原稿搬送装置において、原稿マウントを送出している状態を示す断面図である。
【図２５】従来の原稿搬送装置において、原稿マウントを読取開口窓まで送出した状態を示す断面図である。
【図２６】従来の原稿搬送装置において、原稿マウントを回収する開始状態を示す断面図である。
【図２７】従来の原稿搬送装置において、原稿マウントを回収している状態を示す断面図である。
【図２８】板厚が大きく，面取りされた原稿マウントを送出する開始状態を示す断面図である。
【図２９】板厚が大きく，面取りされた原稿マウントが送出できない状態を示す断面図である。
【符号の説明】
３１  装置本体
３３  画像読取装置（画像入力装置）
３５  搬送ガイド
３５ｂ  搬送面
３７  原稿マウント
３７ａ  透過原稿（光透過性原稿）
４１  マウント収納部
４３  マウント回収部
４９  押出部材
４９ｂ  嵌合穴
５２  補助板（補助板部材）
５２ａ  嵌合突起
【図１】
0003731295.tif 000002
【図２】
0003731295.tif 000003
【図３】
0003731295.tif 000004
【図４】
0003731295.tif 000005
【図５】
0003731295.tif 000006
【図６】
0003731295.tif 000007
【図７】
0003731295.tif 000008
【図８】
0003731295.tif 000009
【図９】
0003731295.tif 000010
【図１０】
0003731295.tif 000011
【図１１】
0003731295.tif 000012
【図１２】
0003731295.tif 000013
【図１３】
0003731295.tif 000014
【図１４】
0003731295.tif 000015
【図１５】
0003731295.tif 000016
【図１６】
0003731295.tif 000017
【図１７】
0003731295.tif 000018
【図１８】
0003731295.tif 000019
【図１９】
0003731295.tif 000020
【図２０】
0003731295.tif 000021
【図２１】
0003731295.tif 000022
【図２２】
0003731295.tif 000023
【図２３】
0003731295.tif 000024
【図２４】
0003731295.tif 000025
【図２５】
0003731295.tif 000026
【図２６】
0003731295.tif 000027
【図２７】
0003731295.tif 000028
【図２８】
0003731295.tif 000029
【図２９】
0003731295.tif 000030